(57)【要約】      （修正有）【課題】負荷が大きいほど放熱効果が良好な永久磁石ブラシレスモータシステムを備えたスクロールケーシング遠心送風機を提供する。【解決手段】スクロールケーシング１と、ブラケットを通じてケーシング内に取り付けたアウターローターモータ２と、カバーがモータ外に設けられた羽根車３とを含み、羽根車がケーシング内に位置し、羽根車とモータとが連結し、ケーシングがスクロールプレート４とプレート両側に位置する側板５からなり、側板上に吸入口６を設け、ケーシングの一側に吐出口７を設ける永久磁石ブラシレスモータシステムを備えたスクロールケーシング遠心送風機であって、吐出口の中心位置を水平面とし、スクロールプレートの水平面上に開口部を設け、アーチ型ヒートシンク１０が開口部に取り付けられ、ヒートシンクの放熱リブは開口部を通じてケーシングと羽根車の間の風路内に入り込み、ヒートシンクがスクロールプレートの表面と密着する。【選択図】図１
0003223079.tif 000002
【実用新案登録請求の範囲】
【請求項１】
スクロールケーシングと、ブラケットを通じて前記スクロールケーシング内に取り付けたアウターローターモータと、カバーが前記アウターローターモータ外に設けられた羽根車とを含み、前記羽根車が前記スクロールケーシング内に位置し、前記羽根車と前記アウターローターモータとが連結し、前記スクロールケーシングが前記スクロールプレートと前記スクロールプレート両側に位置する側板からなり、両側の前記側板上に吸入口を設け、前記スクロールケーシングの一側に吐出口を設ける新型の永久磁石ブラシレスモータシステムを備えたスクロールケーシング遠心送風機であって、前記吐出口の中心位置を水平面とし、前記スクロールプレートの前記水平面上にある部分上に開口部を設け；前記開口部とマッチするアーチ型ヒートシンクを前記開口部に取り付けられ、前記アーチ型ヒートシンクの放熱リブは前記開口部を通じて前記スクロールケーシングと前記羽根車の間で形成した風路内に入り込み、前記アーチ型ヒートシンクが前記スクロールプレートの表面と密着し；前記アーチ型ヒートシンク上に前記アウターローターモータとマッチする駆動装置を取り付け；前記開口部内に均一に分布された若干の固定リブを設け、前記固定リブの間に位置決め穴を形成し；前記スクロールケーシングと前記羽根車の間に風路を形成し；前記アーチ型ヒートシンクは、その下表面に設けられた若干の放熱リブ組を含み、前記放熱リブ組がマッチする前記位置決め穴を貫通すると共に風路内に位置し；前記放熱リブ組は、均一に分布された若干の放熱リブで構成され、前記放熱リブの円弧半径が前記駆動装置を前記スクロールケーシング成形後の前記スクロールプレート上に取り付けた位置の円弧半径より大きく；前記放熱リブの間に放熱風流路を形成し、前記放熱風流路が吐出口の吐出方向と一致する
ことを特徴とする新型の永久磁石ブラシレスモータシステムを備えたスクロールケーシング遠心送風機。
【請求項２】
前記固定リブの個数は、１〜１９個であり；前記固定リブの幅は、１〜１０ｍｍであり；前記位置決め穴の個数は、２〜２０個であり；前記位置決め穴の幅は、１２ｍｍより小さい
請求項１に記載の新型の永久磁石ブラシレスモータシステムを備えたスクロールケーシング遠心送風機。
【請求項３】
前記放熱リブ組の間のピッチ幅は、前記固定リブの幅に等しいかまたは大きく、前記放熱リブ組自体の幅が前記位置決め穴の幅に等しいかまたは小さく；前記放熱リブは、前記アーチ型ヒートシンクの前記スクロールプレートに接触する表面が下向き凸出する同心円の円形凸部であり、前記同心円の半径が前記スクロールケーシング成形後の前記スクロールプレート上に前記アーチ型ヒートシンクを取り付けた位置の円弧半径より大きく、前記放熱リブが前記アーチ型ヒートシンクの下表面において下向きに凸出し、前記放熱リブの凸出高さが１〜５ｍｍである
請求項１または２に記載の新型の永久磁石ブラシレスモータシステムを備えたスクロールケーシング遠心送風機。
【請求項４】
前記アーチ型ヒートシンクは、密封剤或いは気密パッキンを通じて前記スクロールプレート表面と密に組み立てられる
請求項１に記載の新型の永久磁石ブラシレスモータシステムを備えたスクロールケーシング遠心送風機。
【請求項５】
前記アーチ型ヒートシンクの面積は、前記開口部の面積より大きい
請求項１に記載の新型の永久磁石ブラシレスモータシステムを備えたスクロールケーシング遠心送風機。
【請求項６】
前記スクロールプレート前後両側の側面の延伸面、前記スクロールプレート右側の接平面及び前記スクロールプレートの上側側面の延伸面が交差して制限空間を形成し；前記駆動装置は、前記制限空間内に位置する
請求項１に記載の新型の永久磁石ブラシレスモータシステムを備えたスクロールケーシング遠心送風機。
【考案の詳細な説明】
【技術分野】
【０００１】
本考案は、新型の永久磁石ブラシレスモータシステムを備えたスクロールケーシング遠心送風機に関する。
【背景技術】
【０００２】
従来のスクロールケーシング遠心送風機は、スクロールケーシング送風機と駆動に使用する永久磁石ブラシレスモータシステムとを含み、永久磁石ブラシレスモータシステムを一体化（駆動装置と永久磁石モータ本体が一体）としまたは永久磁石ブラシレスモータシステムを分離式とし、永久磁石ブラシレスモータシステムの分離式は、永久磁石ブラシレスモータ本体と駆動装置とを含み、駆動装置の放熱は基本的に自然空冷により放熱しているが、このような放熱方式の放熱効率が低く、特に、遠心送風機の大風量及び大圧力時駆動装置が高温下で運転されるため、駆動装置の寿命及び効率に直接影響を及ぼす。
【０００３】
かつエネルギー消費効率の向上及び顧客の使用利便性につれ、「取り付けに便利で、プラグアンドプレイ、高効率・省エネ」の一体化された永久磁石ブラシレスモータシステムを備えたスクロールケーシング遠心送風機は、換気及び冷房業界の需要が急拡大することとなり、同じ体積のスクロールケーシングの遠心送風機から出力される風量と圧力が最大で、効率が最高、騒音が最も小さく、同じスクロールケーシングの遠心送風機を駆動するモータの体積が最小で、出力が最大で、電機効率も最高である。こうして永久磁石ブラシレスモータシステムのモータ本体が最小であるが、駆動装置を増やし、駆動装置と永久磁石モータ本体を一体化する場合、永久磁石ブラシレスモータシステム全体の体積も増大し、スクロールケーシングの遠心送風機の性能に直接影響を及ぼし、永久磁石ブラシレスモータシステムの体積を縮小するため、一般的に駆動装置を分離してスクロールケーシングの送風機の外表面上に設け、ただしこのような解決手段は送風機の外形寸法に影響を及ぼし、顧客の取り付けや使用にも影響を与え、取り付け時の手間が増え、同時に分離した駆動装置が同様に自然放熱方式で放熱し、このような放熱効率が低い放熱方式は駆動装置の運転効率低下及び寿命短縮に至り、永久磁石ブラシレスモータシステムを備えたスクロールケーシング遠心送風機の全体的な効率及び寿命を低下させていた。
【考案の概要】
【考案が解決しようとする課題】
【０００４】
本考案が解決しようとする技術的課題は、遠心送風機負荷の変化に伴い駆動装置の放熱効果を変わることができ、負荷が大きいほど、駆動装置の放熱効果がより良好になり、駆動装置が低温運転状態にあることを確保し、駆動装置の運転効率を増し、駆動装置の寿命も延びる新型の永久磁石ブラシレスモータシステムを備えたスクロールケーシング遠心送風機を提供することである。
【課題を解決するための手段】
【０００５】
本考案が上記技術的課題を解決するために用いる技術的解決策は、スクロールケーシングと、ブラケットを通じてスクロールケーシング内に取り付けたアウターローターモータと、カバーがアウターローターモータ外に設けられた羽根車とを含み、羽根車がスクロールケーシング内に位置し、羽根車とアウターローターモータとが連結し、スクロールケーシングがスクロールプレートとスクロールプレート両側に位置する側板からなり、両側の側板上に吸入口を設け、スクロールケーシングの一側に吐出口を設ける新型の永久磁石ブラシレスモータシステムを備えたスクロールケーシング遠心送風機を開示し、吐出口の中心位置を水平面とし、スクロールプレートの該水平面上にある部分上に開口部を設け；前記開口部とマッチするアーチ型ヒートシンクを前記開口部に取り付けられ、アーチ型ヒートシンクの放熱リブは開口部を通じてスクロールケーシングと羽根車の間で形成した風路内に入り込み、アーチ型ヒートシンクがスクロールプレートの表面と密着し；前記アーチ型ヒートシンク上にアウターローターモータとマッチする駆動装置を取り付け；前記開口部内に均一に分布された若干の固定リブを設け、固定リブの間に位置決め穴を形成し；前記スクロールケーシングと羽根車の間に風路を形成し；前記アーチ型ヒートシンクは、その下表面に設けられた若干の放熱リブ組を含み、放熱リブ組がマッチする位置決め穴を貫通すると共に風路内に位置し；前記放熱リブ組は、均一に分布された若干の放熱リブで構成され、放熱リブの円弧半径が駆動装置をスクロールケーシング成形後のスクロールプレート上に取り付けた位置の円弧半径より大きく；前記放熱リブの間に放熱風流路を形成し、放熱風流路が吐出口の吐出方向と一致する。
【０００６】
前記固定リブの個数は、１〜１９個であり；前記固定リブの幅は、１〜１０ｍｍであり；前記位置決め穴の個数は、２〜２０個であり；前記位置決め穴の幅は、１２ｍｍより小さい。
【０００７】
前記放熱リブ組の間のピッチ幅は、固定リブの幅に等しいかまたは大きく、放熱リブ組自体の幅が位置決め穴の幅に等しいかまたは小さく；前記放熱リブは、アーチ型ヒートシンクのスクロールプレートに接触する表面が下向き凸出する同心円の円形凸部であり、該同心円の半径がスクロールケーシング成形後のスクロールプレート上にアーチ型ヒートシンクを取り付けた位置の円弧半径より大きく、放熱リブがアーチ型ヒートシンクの下表面において下向きに凸出し、放熱リブの凸出高さが１〜５ｍｍである。
【０００８】
前記アーチ型ヒートシンクは、密封剤或いは気密パッキンを通じてスクロールプレート表面と密に組み立てられる。
【０００９】
前記アーチ型ヒートシンクの面積は、開口部の面積より大きい。
【００１０】
前記スクロールプレート前後両側の側面の延伸面、スクロールプレート右側の接平面及びスクロールプレートの上側側面の延伸面が交差して制限空間を形成し；前記駆動装置は、制限空間内に位置する。
【考案の効果】
【００１１】
従来技術と比べると、本考案の構造を用いた新型の永久磁石ブラシレスモータシステムを備えたスクロールケーシング遠心送風機は運転している時、外風がスクロールプレート両側の側板上の吸入口から入り込み、羽根車とスクロールケーシング内壁の間に１本の風路を形成し、羽根車の回転下で、吸入口内に入った風が風路の軌跡に沿って吐出口から流出し、放熱リブの間で形成された放熱風流路が吐出口の吐出方向と一致するため、風路内にある放熱リブが風の流動を阻害せず、風の流動軌跡に干渉せず、逆に放熱風流路の分布方向が風の風路流れ方向と一致すると、風が非常にスムーズに放熱風流路の軌跡に沿って流動し、最後に吐出口から流出でき、送風機の性能と騒音に影響を与えず、風が放熱風流路を通過した時、風が放熱リブ上の熱量を連れていくことで、放熱の効果を奏し、風資源を十分効果的に利用させ、同時に遠心送風機の風量及び圧力の増加に伴い、送風機を駆動する永久磁石ブラシレスモータシステムの電力も増大し、放熱もスピードアップし、風量の増加、風速の加速により、新型の永久磁石ブラシレスモータシステムを備えたスクロールケーシング遠心送風機の放熱効率も増大し、駆動装置が低温運転状態にあり、このような放熱方式は他の放熱設備を増設する必要がないだけでなく、スクロールケーシング遠心送風機の製造コストが増加しないと共にスクロールケーシング遠心送風機の外形体積も拡大しておらず、更に最大限で駆動装置の放熱効率を加速させることができ、従って放熱器の運転効率がアップし、駆動装置の寿命を延び、スクロールケーシング遠心送風機の寿命も延長する。
【図面の簡単な説明】
【００１２】
【図１】本考案に係る新型の永久磁石ブラシレスモータシステムを備えたスクロールケーシング遠心送風機の１つの角度から見た構造を示す模式図
【図２】本考案に係る新型の永久磁石ブラシレスモータシステムを備えたスクロールケーシング遠心送風機の別の角度から見た構造を示す模式図
【図３】本考案に係る新型の永久磁石ブラシレスモータシステムを備えたスクロールケーシング遠心送風機の側面図
【図４】アーチ型ヒートシンクの構造を示す模式図
【考案を実施するための形態】
【００１３】
以下、添付図面及び具体的実施例を組み合わせて本考案に対し更なる詳細な説明を行う。
【００１４】
図１〜４のように、本考案は、新型の永久磁石ブラシレスモータシステムを備えたスクロールケーシング遠心送風機を提供し、本考案は、スクロールケーシング１と、スクロールケーシング１内に取り付けたアウターローターモータ２と、カバーがアウターローターモータ２外に設けられた羽根車３とを含み、羽根車３がスクロールケーシング１内に位置し、羽根車３とアウターローターモータ２とが連結し、スクロールケーシング１がスクロールプレート４とスクロールプレート両側に位置する側板５からなり、両側の側板５上に吸入口６を設け、スクロールケーシング１の一側に吐出口７を設け、吐出口７の中心位置を水平面８とし、スクロールプレート４の該水平面８上にある部分上に開口部９を設け；前記開口部９とマッチするアーチ型ヒートシンク１０を前記開口部９に取り付けられ、アーチ型ヒートシンク１０がスクロールプレート４の表面と密着し；前記アーチ型ヒートシンク１０上にアウターローターモータ２とマッチする駆動装置１１を取り付け；前記開口部９内に均一に分布された若干の固定リブ１２を設け、固定リブ１２の間に位置決め穴１３を形成し；前記スクロールケーシングと羽根車の間に風路を形成し；前記アーチ型ヒートシンク１０は、その下表面に設けられた若干の放熱リブ組１４を含み、放熱リブ組１４がマッチする位置決め穴１３を貫通すると共に風路１内に位置し；前記放熱リブ組１４は、均一に分布された若干の放熱リブ１５で構成され、放熱リブ１５の円弧半径が駆動装置をスクロールケーシング成形後のスクロールプレート４上に取り付けた位置の円弧半径より大きく；前記放熱リブ１５の間に放熱風流路１６を形成し、放熱風流路１６が吐出口７の吐出方向と一致する。
【００１５】
前記固定リブ１２の個数は、１〜１９個であり；前記固定リブ１２の幅は、１〜１０ｍｍであり；前記位置決め穴１３の個数は、２〜２０個であり；前記位置決め穴１３の幅は、１２ｍｍより小さい。
【００１６】
前記放熱リブ組１４の間のピッチ幅は、固定リブ１２の幅に等しいかまたは大きく、放熱リブ組１４自体の幅が位置決め穴１３の幅に等しいかまたは小さく；前記放熱リブ１５は、アーチ型ヒートシンクのスクロールプレートに接触する表面が下向き凸出する同心円の円形凸部であり、該同心円の半径がスクロールプレート４上にアーチ型ヒートシンク１０を取り付けた位置の円弧半径より大きく、放熱リブ１５がアーチ型ヒートシンク１０の下表面において下向きに凸出し、放熱リブ１５の凸出高さが１〜５ｍｍである。
【００１７】
前記アーチ型ヒートシンク１０は、密封剤或いは気密パッキンを通じてスクロールプレート４表面と密に組み立てられる。
【００１８】
前記アーチ型ヒートシンク１０の面積は、開口部９の面積より大きい。
【００１９】
前記スクロールプレート４の前後両側の側面の延伸面、スクロールプレート４右側の接平面１７及びスクロールプレート４の上側側面の延伸面１８が交差して制限空間１９を形成し；前記駆動装置１１は、制限空間１９内に位置する。
【００２０】
本考案の使い方は、次の通りである。
スクロールケーシング遠心送風機の使用を開始する時、アウターローターモータ２は運転を開始し、羽根車３が連動して回転し、外風が両側のスクロールプレート４の吸入口６から入り込み、羽根車３とスクロールケーシング１内壁の間に１本の風路を形成し、羽根車３の回転下で、吸入口６内に入った風が風路の軌跡に沿って吐出口７から流出し、こうして繰り返し、絶え間なく外風が吸入口６から入り込み、吐出口７から排出され、風路内では終始風が流動し、スクロールケーシング１内にある放熱リブ組１４がこの時も風路内に位置する。
【００２１】
駆動装置１１の運転時に発生する熱量は、連結するアーチ型ヒートシンク１０に直接伝達し、熱量も最終的に放熱リブ組１４に伝達されてから具体的に放熱リブ１５に分布し、放熱リブ１５の間で形成された放熱風流路１６が吐出口７の吐出方向と一致するため、風路内にある放熱リブ１５が風の流動を阻害せず、風の流動軌跡に干渉せず、逆に放熱風流路１６の分布方向が風の風路流れ方向と一致すると、風が非常にスムーズに放熱風流路１６の軌跡に沿って流動し、最後に吐出口７から流出でき、かつ放熱リブ１５はアーチ型ヒートシンクのスクロールプレートに接触する表面が下向き凸出する同心円の円形凸部であり、該同心円の半径がスクロールプレート４上にアーチ型ヒートシンク１０を取り付けた位置の円弧半径より大きく、放熱リブ１５の下表面から流動した風は放熱リブ１５が持つ円弧のガイド下でスムーズに吐出口７の方向に向けて流動でき、スクロールケーシングの遠心送風機内の風の正常な流動に影響を及ぼさず、風が放熱風流路１６を通過した時、風が放熱リブ１５上の熱量を連れていくことで、放熱の効果を奏し、風資源を十分効果的に利用させ、同時に遠心送風機の風量及び圧力の増加に伴い、新型の永久磁石ブラシレスモータシステムを備えたスクロールケーシング遠心送風機の放熱効率も相対的に増大し、駆動装置が低温運転状態にあり、このような放熱方式は他の放熱設備を増設する必要がないだけでなく、駆動装置素子のコスト及び放熱器の面積も減少させることができ、スクロールケーシング遠心送風機の製造コストが増加しないと共にスクロールケーシング遠心送風機の体積も拡大しておらず、更に最大限で駆動装置１１の放熱効率を加速させることができ、従ってアーチ型ヒートシンク１０の運転効率がアップし、駆動装置１１の寿命を延び、スクロールケーシング遠心送風機の寿命も延長し、自然放熱を踏まえ、スクロールケーシング遠心送風機で発生した風を利用して放熱することで、放熱効果を２倍以上向上でき、温度上昇も５０％下げることができる。
【００２２】
固定リブ１２の個数は、１〜１９個、固定リブ１２の幅が１〜１０ｍｍ、位置決め穴１３の個数が２〜２０個であり、位置決め穴１３の幅が１２ｍｍより小さく、このような設置方式は開口部９の面積が過大なことによりスクロールケーシング１に変形が生じるような状況を防止でき、固定リブ１２が開口部９エリア強度の補強効果を果たし、スクロールケーシング１に変形の状況が現れず、スクロールケーシング遠心送風機構造の安定性を保証し、かつこのような設置方式は、スクロールケーシングの変形を防止するため、スクロールケーシング遠心送風機の製造工程を変更する必要もなく、手間を省くことができる。
【００２３】
放熱リブ組１４の間のピッチ幅は、固定リブ１２の幅に等しいかまたは大きく、放熱リブ組１４自体の幅が位置決め穴１３の幅に等しいかまたは小さく、従って放熱リブ組１４が位置決め穴１３を貫通して風路内にあることができることを保証し、且つ放熱リブ１５がアーチ型ヒートシンク１０の下表面において下向きに凸出し、放熱リブ１５の凸出高さが１〜５ｍｍで、該凸出高さの範囲内にある放熱リブ１５は最大限で自体の風の正常の流動に対する影響を軽減でき、スクロールケーシング遠心送風機は放熱リブ１５が風路内にある時も同様に正常に運転できることを保証し、かつアーチ型ヒートシンクのスクロールプレートに接触する表面が下向き凸出する同心円の円形凸部であり、該同心円の半径がスクロールプレート４上にアーチ型ヒートシンク１０を取り付けた位置の半径より大きく、最大限で放熱リブ１５のスクロールケーシング遠心送風機の性能に対する影響を軽減できる。
【００２４】
アーチ型ヒートシンク１０は、密封剤或いは気密パッキンを通じて、スクロールプレート４表面と密に組み立てられることで、スクロールケーシング遠心送風機内の風が位置決め穴から漏洩させないことを保証し、スクロールケーシング遠心送風機のパフォーマンスを保障させ、かつアーチ型ヒートシンク１０の面積が開口部９の面積より大きく、アーチ型ヒートシンク１０とスクロールプレート４の間の密封性を更に向上できる。
【００２５】
スクロールプレート４前後両側の側面延伸面、スクロールプレート４右側の接平面１７及びスクロールプレート４上側の側面延伸面１８は交差して制限空間１９を形成し，駆動装置１１が制限空間１９内に位置するため、駆動装置１１が外付けとしても、スクロールケーシング遠心送風機全体の外形寸法に影響を及ぼさず、スクロールケーシング遠心送風機の取り付けに影響を与えない。
【図１】
0003223079.tif 000003
【図２】
0003223079.tif 000004
【図３】
0003223079.tif 000005
【図４】
0003223079.tif 000006